(57)【要約】      （修正有）【課題】印刷機の操作を簡単にし、種々の操作エレメントを省略することができるようにした、被印刷物を加工する機械を操作する装置を提供する。【解決手段】被印刷物５を収容する載置面８を有する制御スタンドと、被印刷物を加工する機械１１を制御コンピュータ９により制御する、タッチスクリーンとして形成された操作エレメント１と、を備える。タッチスクリーン１は、制御スタンドの前縁部に、被印刷物５を収容する載置面８の手前に取り付けられている、被印刷物を加工する機械１１を操作する装置において、タッチスクリーン１は、被印刷物５を収容する載置面８の少なくとも全幅にわたって延びている。【選択図】図１
0003191621.tif 000002
【実用新案登録請求の範囲】
【請求項１】
被印刷物を加工する機械（１１）を操作する装置であって、
被印刷物（５）を収容する載置面（８）を有する制御スタンドと、
前記被印刷物を加工する機械（１１）を制御コンピュータ（９）により制御する、タッチスクリーンとして形成された操作エレメント（１）と、
を備え、
前記タッチスクリーン（１）は、前記制御スタンドの前縁部に、被印刷物（５）を収容する前記載置面（８）の手前に取り付けられている、
被印刷物を加工する機械（１１）を操作する装置において、
前記タッチスクリーン（１）は、被印刷物（５）を収容する前記載置面（８）の少なくとも全幅にわたって延びていることを特徴とする、被印刷物を加工する機械を操作する装置。
【請求項２】
前記被印刷物を加工する機械（１１）は、印刷機（１１）であり、
前記タッチスクリーン（１）は、特に前記印刷機（１１）のインキゾーン（１４）を区域毎に調節するための操作面（１０）を有している、請求項１記載の装置。
【請求項３】
前記タッチスクリーン（１）は、少なくとも１つの付加的な操作面（１０）を有していて、該付加的な操作面（１０）により前記印刷機（１１）の別の機能が操作可能である、請求項２記載の装置。
【請求項４】
前記被印刷物を加工する機械（１１）は、被印刷物（５）を測定する測定器（１２）を有していて、
該測定器（１２）は前記タッチスクリーン（１）により制御可能である、請求項１から３までのいずれか１項記載の装置。
【請求項５】
前記タッチスクリーン（１）は、複数のスクリーンから構成されている、請求項１から４までのいずれか１項記載の装置。
【請求項６】
前記タッチスクリーン（１）は、長く成形された単一のスクリーンである、請求項１から５までのいずれか１項記載の装置。
【請求項７】
前記タッチスクリーン（１）は、少なくとも部分的に前記載置面（８）により覆われている、請求項１から６までのいずれか１項記載の装置。
【請求項８】
前記タッチスクリーン（１）上に、複数の操作面（１０）が同時に相並んで表示可能である、請求項１から７までのいずれか１項記載の装置。
【請求項９】
前記制御スタンドは、後壁を有しており、該後壁は、１つの大面積のスクリーン（６）を支持しており、該大面積のスクリーン（６）は、前記タッチスクリーン（１）を介して制御可能である、請求項１から８までのいずれか１項記載の装置。
【請求項１０】
前記制御スタンドは、識別装置（１３）を有していて、該識別装置（１３）はオペレータの身体部分による前記タッチスクリーン（１）への接触および覆い被さりを検知し、前記タッチスクリーン（１）の不意の操作を阻止する、請求項１から９までのいずれか１項記載の装置。
【考案の詳細な説明】
【技術分野】
【０００１】
本考案は、被印刷物を加工する機械を操作する装置であって、被印刷物を収容する載置面を有する制御スタンドと、被印刷物を加工する機械を制御コンピュータを用いて制御する、タッチスクリーンとして形成された操作エレメントとを備え、タッチスクリーンは、制御スタンドの前縁部に、被印刷物を収容する載置面の手前に取り付けられている、被印刷物を加工する機械を操作する装置に関する。
【背景技術】
【０００２】
被印刷物を加工する機械を操作するこのような装置は、独国特許出願公開第１０１２０４８７号明細書から公知である。この公開特許公報には、多色刷り印刷機用の制御スタンドが示されている。この制御スタンドは、当該制御スタンドの前方領域で、被印刷物を収容する載置プレートの手前に、載置プレートの全幅にわたって移動可能な、印刷機操作用のタッチスクリーンを有している。タッチスクリーン上には、印刷機内のインキゾーンを調節しかつ検知するためのメニューが呼出し可能である。この場合、このメニューのインキゾーンは、一行でバーコード状に、またはデジタル値の形態で表示可能である。したがって、タッチスクリーンディスプレイは、被印刷物の全幅にわたって可動に位置決めされ得る。この場合、被印刷物に対するディスプレイの位置が検知されて、この検知された位置に応じて、その位置に該当するインキゾーンが表示される。これによって、インキゾーンの操作が容易にされる。
【０００３】
独国特許出願公開第１０２００４０１０４８４号明細書からは、印刷機のインキゾーン調節を表示しかつ／または制御する装置が公知である。この装置では、表示器の色が、使用される印刷インキに適合される。この表示および操作エレメントも、印刷機の制御スタンドの前方領域に位置しているが、この表示および操作エレメントは、被印刷物の載置面の全幅にわたって延びている。表示器は、複数の発光ダイオードから成っている。これらの発光ダイオードは、３原色である赤、緑、青で構成されていて、相応の制御によって任意の色を表示することができる。この場合、これらの発光ダイオードは、載置台の全幅にわたる相応するインキゾーンに対して固定的に対応配置されており、インキゾーンの開き状態をそれぞれ表示する。
【０００４】
先行技術の欠点は、移動可能なタッチスクリーンでは、オペレータが対応するインキゾーンを調節する前に、該タッチスクリーンをまず操作すべきインキゾーンの手前に位置決めしなければならないことである。このことは、枚葉紙載置台の手前に設けられたインキゾーンに固定的に配置されたダイオードを介した従来の操作では、より簡単かつ迅速である。大判の枚葉紙印刷機では、部分的に３２個または６４個のインキゾーンを操作しなければならないので、タッチスクリーンを常に正しい箇所に移動させなければならないことは印刷機のオペレータにとって手間となる。他方では、固定的に対応配置された複数のダイオードを備える従来の解決手段の欠点は、これらのダイオードを介して単にインキゾーンの開口が調節されるのみであり、印刷機の別の操作工程を作動させることができないことにある。この理由から、従来の解決手段では、印刷機の重要な機能を制御することができる付加的なタッチスクリーンが印刷機の制御スタンドの大抵は側方領域において必要とされる。
【先行技術文献】
【特許文献】
【０００５】
【特許文献１】独国特許出願公開第１０１２０４８７号明細書
【特許文献２】独国特許出願公開第１０２００４０１０４８４号明細書
【考案の概要】
【考案が解決しようとする課題】
【０００６】
本考案の課題は、特に印刷機の操作を簡単にし、種々の操作エレメントを省略することができるようにすることである。
【課題を解決するための手段】
【０００７】
上記課題を解決した本考案の請求項１に記載の構成では、被印刷物を加工する機械を操作する装置であって、被印刷物を収容する載置面を有する制御スタンドと、被印刷物を加工する機械を制御コンピュータにより制御する、タッチスクリーンとして形成された操作エレメントと、を備え、タッチスクリーンは、前記制御スタンドの前縁部に、前記被印刷物を収容する前記載置面の手前に取り付けられている、被印刷物を加工する機械を操作する装置において、タッチスクリーンが、被印刷物を収容する載置面の少なくとも全幅にわたって延びている。
【０００８】
有利な実施の形態は、従属請求項および図面から明らかである。
【０００９】
本考案の好適な態様では、被印刷物を加工する機械は、印刷機であり、タッチスクリーンは、特に印刷機のインキゾーンを領域毎に調節する操作面を有している。
【００１０】
本考案の好適な態様では、タッチスクリーンは、少なくとも１つの付加的な操作面を有していて、該付加的な操作面により印刷機の別の機能が操作可能である。
【００１１】
本考案の好適な態様では、被印刷物を加工する機械は、被印刷物を測定する測定器を有していて、該測定器はタッチスクリーンにより制御可能である。
【００１２】
本考案の好適な態様では、タッチスクリーンは、複数のスクリーンから構成されている。
【００１３】
本考案の好適な態様では、タッチスクリーンは、長く成形された単一のスクリーンである。
【００１４】
本考案の好適な態様では、タッチスクリーンは、少なくとも部分的に載置面により覆われている。
【００１５】
本考案の好適な態様では、タッチスクリーン上に、複数の操作面が同時に相並んで表示可能である。
【００１６】
本考案の好適な態様では、制御スタンドは、後壁を有しており、該後壁は、１つの大面積のスクリーンを支持しており、該大面積のスクリーンは、タッチスクリーンを介して制御可能である。
【００１７】
本考案の好適な態様では、制御スタンドは、識別装置を有していて、該識別装置はオペレータの身体部分によるタッチスクリーンへの接触および覆い被さりを検知し、タッチスクリーンの不意の操作を阻止する。
【考案の効果】
【００１８】
したがって、本考案によれば、被印刷物を加工する機械、特に印刷機の制御スタンドは、前方領域において、被印刷物の検査用の枚葉紙載置面の手前に、タッチスクリーンを有している。タッチスクリーンは、被印刷物を収容する載置面の少なくとも全幅にわたって延びている。これにより、タッチスクリーン上に操作および表示エレメントを表示することができ、この場合、この操作および表示エレメントは、載置面に検査のために載置された被印刷物の全領域、特にインキゾーンに、オペレータによって視覚的に直接に対応配置され得る。この場合、タッチスクリーン上には、各インキゾーンのためのインキゾーンの開きを、載置された被印刷物上のインキゾーンに対応する箇所に正確に表示することが可能である。したがってオペレータには、従来のダイオードを備えた先行技術においてそうであるように、インキゾーン調整のために、タッチスクリーン上に表示された複数の操作エレメント間で直接的な対応配置が与えられている。しかしこのタッチスクリーンは、印刷機の別の、または全ての機能を制御するためにも付加的に使用され得るので、先行技術におけるように側方に取付けられた付加的なタッチスクリーンは、印刷機を操作するためには余分である。したがって、被印刷物の特定の領域に関する印刷機の別の調節、たとえば枚葉紙印刷機の枚葉紙送り経路における空気分配の調節、特に排紙装置内の空気分配の調節または排紙装置内のブレーキバンドの調節も、快適に対応配置され、かつ調節され得る。
【００１９】
したがって、載置面の全幅にわたって配置されたタッチスクリーンは、インキゾーンを調節するために機能するだけではなく、印刷機の全体的な機能を調節するためにも使用され得る。したがって、全ての操作機能が制御スタンドの１箇所に集約されて、先行技術におけるようにタッチスクリーンと従来のダイオードとに分配されることや、特に大型の枚葉紙印刷機において多数のインキゾーンが設けられていることに基づいて操作を不便なものにする移動可能なタッチスクリーンを必要とすることはない。本考案では、印刷枚葉紙の特定の領域に関する全ての機能を、１：１で直接に、タッチスクリーン上で、枚葉紙上の実際に該当している領域に対応配置させることが初めて可能となる。タッチスクリーンの自由なプログラミング可能性に基づいて、たとえば特殊色の色域におけるインキゾーンの開きの表示のような、特殊機能を問題無く表示することも可能である。被印刷物に対する直接の対応配置により、明確な目と手の協調運動が生じる。なぜならば、表示および入力がタッチスクリーンを介して直接に互いに移行し合っているからである。印刷機における入力および表示は、直接かつ迅速に制御スタンドの前方領域で行われ、オペレータは、ダイオードおよび側方に配置されたタッチスクリーンを介したインキゾーン操作のように種々の操作エレメントに集中する必要はない。同様の利点は、別の区域毎の調節、たとえば色測定器用の目標値の入力および変更、インキ供給量の後調節のための個別の領域の遮断および開放、測定器における目標値偏差の表示、検査システムにおける偏差の表示ならびに測定器、測定ストリップまたは基準マークの位置決めにおいて得られる。
【００２０】
印刷機の種々異なる機能を快適に制御することができるように、タッチスクリーンが、印刷機の別の機能を操作可能である少なくとも１つの付加的な操作面を有していると有利である。たとえば印刷機のインキゾーンのような区域毎の調節を行う操作面の他に、タッチスクリーンは少なくとも１つの付加的な操作面を有している。この付加的な操作面によって、印刷機の別の機能を調節することができる。この場合、基本的には印刷機の各操作領域のために、付加的な操作面が設けられていてよいので、オペレータは特定の機能領域を、該当する操作面の適切な選択により快適に呼び出すことができる。この場合、タッチスクリーン上に複数の操作面が同時に相並んで表示可能であることも可能である。タッチスクリーンは、載置面の全幅にわたって延びているので、複数の操作面を同時に相並んで配置することは問題無く可能である。典型的な操作面とは、印刷機では印刷ジョブリストの処理用の操作面、機械調節用の操作面およびサービス目的の別の操作面であり得る。複数の操作面を相並んで配置することに基づいて、複数のオペレータがタッチスクリーンを介して印刷機を並行して操作することも可能である。したがって、一人のオペレータが１つの操作面を介して別の調節を行うことも、別のオペレータが別の操作面を介してこの別の調節を行うことも可能である。たとえば、枚葉紙左半部／枚葉紙右半部へのインキゾーンの分配、部分領域におけるインキ−湿し水バランスの調節、またはタッチスクリーンの別の部分領域における見当合わせのための調節が行われる。択一的には、単一の操作面が設けられており、該操作面は印刷機の複数の機能を制御し、場合によってはこのような１つの操作面が全ての機能にとって十分である。
【００２１】
本考案の別の態様では、タッチスクリーンが複数のスクリーンから構成されている。この場合、有利には１０インチの画面対角を有する複数のタッチスクリーンが隣り合って並べられ、この場合、１０インチのタッチスクリーンには８個のインキゾーンが表示され得る。このことは、１６個のインキゾーンを有する判型５２（菊四裁判対応）の枚葉紙印刷機において、２つのタッチスクリーンが相並んで使用されることを意味している。３２個のインキゾーンを備えた判型１０２（菊全判対応）の枚葉紙印刷機では、対応して４つのタッチスクリーンが必要である。１０インチのタッチスクリーンは今日では頻繁に使用され、したがって標準の構成部材として廉価に入手可能である。１つのタッチスクリーンに８個のインキゾーンが表示され得るので、規格品としての単一のタッチスクリーンで枚葉紙印刷機の全ての判型クラスを相応にカバーすることが可能である。しかし、この規格化されたタッチスクリーンを使用する場合、側縁部ができるだけ細いことに留意すべきであり、これによりオペレータには、相並んで配置された複数のタッチスクリーンが単一の長いタッチスクリーンを構成しているという印象が与えられる。いずれの場合も、タッチスクリーン上のインキゾーンの表示は、この表示が載置面に位置する被印刷物のインキゾーンに一致するように留意する必要がある。
【００２２】
本考案の択一的な態様では、タッチスクリーンが長く成形された単一のスクリーンであることが規定されている。しかしこのような長く成形されたタッチスクリーンは、特注品であり、相応して高価である。このような態様の利点は、２つのタッチスクリーンの間の邪魔になる継ぎ目が生じず、したがって操作エレメントの継ぎ目のない表示が制御スタンドの全幅にわたって可能であることである。
【００２３】
本考案の別の択一的な態様では、タッチスクリーンが少なくとも部分的に載置面によって覆われていることが規定されている。この態様は、大型の規格タッチスクリーンを設け、これにより、上述の態様の欠点を排除することを可能にする。オペレータに細長く成形された１つのタッチスクリーンの印象を与えるために、このタッチスクリーンの大部分は、たとえば載置面によって覆われてしまうので、オペレータはタッチスクリーンの一部しか見えない。当然ながら、制御コンピュータによるタッチスクリーンの制御時に、表示が、タッチスクリーンの、覆われていない面でのみ行われ、これにより載置面は操作および表示エレメントを覆わないことが確実に実施される。
【００２４】
さらに好適には、制御スタンドが後壁を有している。この後壁は、大面積のスクリーンを支持し、この大面積のスクリーンはタッチスクリーンを介して制御可能である。この態様では、後壁にウォールスクリーンとも呼ばれる大型のスクリーンが位置している。このウォールスクリーンはタッチスクリーンとしては形成されておらず、単に情報および操作エレメントの表示のみに役立つ。実際の操作は、制御スタンドの前方領域に配置された長いタッチスクリーンを介して行われる。大きなスクリーンは、同様に載置面の全幅にわたって延びているので、ここでも、後壁に設けられた大面積のスクリーン上の表示エレメントに対する、制御スタンドの前方領域に設けられたタッチスクリーン上の操作エレメントの１：１の対応配置が同様に与えられていてよい。このことはオペレータにとって、被印刷物と、制御スタンドの後壁に設けられた大きなスクリーン上の表示とに対する、制御スタンドの前方領域に設けられた操作エレメントの直接的な対応配置が可能であるという大きな利点をもたらす。したがって、オペレータは、大きなスクリーン、載置された被印刷物および制御スタンドの前方領域の、タッチスクリーン上の操作エレメントを直接に見ることができ、３つの領域の対応配置を行う必要がない。
【００２５】
本考案の別の態様では、被印刷物を加工する機械が、被印刷物を測定する測定器を有していて、この測定器は、タッチスクリーンによって制御可能である。このような測定器、特に色測定器は、印刷品質の検査に役立つか、たとえば載置面上に位置する被印刷物または印刷機により搬送された被印刷物を光学的に走査する。本考案によれば、測定器を制御するために、固有の操作面が設けられている。この固有の操作面は、同様に制御スタンドの前方領域のタッチスクリーンを介して操作され得る。これによって、タッチスクリーンを介して、色測定器のための目標値の快適な入力および変更、目標値偏差の表示および検査システムにおける偏差の表示が行われ得る。載置面上の色測定器では、色測定ストリップまたは基準マークに関する色測定器の位置決めも、タッチスクリーンを介して快適に可能である。なぜならば、載置面上に位置する被印刷物の上方での色測定器の位置と、載置面の手前のタッチスクリーン上での操作エレメントとの間で直接的な対応配置が可能であるからである。
【００２６】
特に好適な別の実施の形態では、制御スタンドは識別装置を有している。この識別装置は、オペレータの身体部分によるタッチスクリーンへの接触、または覆い被さりを検知し、タッチスクリーンの不意の操作を阻止する。このような識別装置は、たとえば制御スタンドの上方の領域に取り付けられていてよく、タッチスクリーンの領域を検知することができる。このことは、たとえば相応のカメラおよび記録された像の評価部により行われ得る。評価部は、タッチスクリーンおよび載置面上に被さるオペレータを検知する。択一的には、光バリアに似た光学的なカーテンが設けられていてよい。光学的なカーテンは、タッチスクリーン上に被さるオペレータを検出し、付加的にはカメラを介して評価される。光学的なカーテンは、この場合、一列のＬＥＤにより形成されていてよい。択一的には、光学的なカーテンは、タッチスクリーン上に規定されたパターンを出力することにより行われ得る。この規定されたパターンは、制御スタンドの上側の領域のカメラにより容易に評価され得る。この場合に赤外線ＬＥＤが使用されるか、または規定されたパターンの表示が短期間（３００ミリ秒より短い）だけ行われる場合に、この機能は可視ではなく、オペレータを妨害することはない。さらに、光学的なカーテンが、タッチスクリーンの通常表示であることも可能である。タッチスクリーンの上方に配置されたカメラは、タッチスクリーンの表示が可視であるか否か、または大面積で覆われているか、または部分的に覆われているかを評価する。光学的なカーテンは、所定の領域のみであってよく、たとえばタッチスクリーンの所定の領域に表示されるステータス領域であってよい。この実施の形態では、カメラ評価部が、表示とカメラとの同期を確実に実施することが重要である。
【００２７】
以下に本考案を複数の図面につき詳しく説明する。
【図面の簡単な説明】
【００２８】
【図１】印刷機を制御する制御スタンドの前方領域に配置された１つの細長いタッチスクリーンを有する本考案に係る制御スタンドを示す図である。
【図２】タッチスクリーンが大きな標準のタッチスクリーンから成っていて、部分的に制御スタンドの載置面により覆われている制御スタンドを示す図である。
【図３】タッチスクリーン上に平行に表示された複数の操作面を示す図である。
【図４】相並んで配置された複数のタッチスクリーンから構成されるタッチスクリーンを示す図である。
【考案を実施するための形態】
【００２９】
図１には、印刷機１１の制御スタンドが図示されている。制御スタンドは、印刷機１１の操作のために機能し、これにより相応の調節を実施することができる。制御スタンドは、該制御スタンドが枚葉紙載置台８を有していて、該枚葉紙載置台８上に印刷機１１から排紙された被印刷物５が置かれ得るように、構成されている。この被印刷物５は、大抵は校正刷り枚葉紙であり、印刷機１１から取り出されて、枚葉紙載置台８上で印刷品質検査をうける。この品質検査は、印刷機１１のオペレータが制御スタンドの後壁に設けられた大きなスクリーン６に表示される印刷原稿（Druckoriginal）と被印刷物５とを比較することによって、オペレータが視覚的に実施することができる。純粋な視覚的な比較と同様に、印刷された枚葉紙５を色測定器１２により測定し、これにより得られた測定値を印刷原稿と機械的に比較することも可能である。制御スタンドは、さらに覆い屋根７を有している。この覆い屋根７は、枚葉紙載置台８を上からの外部の光に対して遮断する。さらに、覆い屋根７に色調検査照明を設ける可能性も生じる。色調検査照明は、枚葉紙載置台８に載置された被印刷物５を標準イルミナントで照射する。枚葉紙載置台８の下方で、ケーシング内には制御コンピュータ９が格納されている。制御コンピュータ９は、大抵の場合、主に産業用ＰＣから成っている。制御コンピュータ９は印刷機１１を制御し、オペレータによる全ての操作入力を印刷機１１の制御部に伝達する。
【００３０】
制御スタンドの前方領域で枚葉紙載置台８の手前には、長く成形されたタッチスクリーン１が取り付けられている。タッチスクリーン１を介して、印刷機１１の大抵の機能を操作することができる。このためには、タッチスクリーン１は、複数の操作面１０を有している。これらの操作面１０により、印刷機１１の種々の機能を調節することができる。特に、操作面１０は、印刷機１１のインキゾーン開口部１４を調節する調節および表示エレメントを有している。複数のインキゾーン１４が、印刷機１１の全幅にわたって延びており、印刷機１１におけるインキ供給量を各インキゾーンのために個別に領域毎に調節することができるように働く。したがって、インキゾーン１４は、相応して被印刷物５上に再現され、この場合、操作および調節エレメントの表示は、タッチスクリーン１の複数の操作面１０のうちの１つの操作面上で、タッチスクリーン１上の各操作エレメントが被印刷物５の各インキゾーンに対応配置されているように、表示される。これによって、オペレータには、タッチスクリーン１上に表示された操作および調節エレメントと、被印刷物５上の調節すべきインキゾーンとの間で直接的な一致が与えられている。
【００３１】
図１に示した実施の形態では、付加的に旋回可能な別のタッチスクリーン２が設けられている。このタッチスクリーン２は、保持部４を介して旋回アーム３に取り付けられている。この旋回可能なタッチスクリーン２によっても、印刷機１１の機能が制御され得る。この場合、旋回可能なタッチスクリーン２上の表示および調節エレメントと、被印刷物５上の効果との間で直接的な対応配置は与えられていない。したがって、本考案では、この旋回可能な別のタッチスクリーン２を省略することも可能である。覆い屋根７には、さらにカメラ１３が取り付けられている。カメラ１３は、タッチスクリーンを検知する。この場合、カメラ１３は、たとえば、オペレータがタッチスクリーン１上に覆い被さり、これによりタッチスクリーンを意図せず操作することを検知する。これに対応する不意の操作時に、制御コンピュータ９は、この不意の操作入力を印刷機１１に伝達することを遮断し、これにより誤操作を阻止する。
【００３２】
図２は、本考案の別の実施の形態を示している。この実施の形態では、タッチスクリーン１は、図１に示されているような長いスクリーンとしては成形されていない。この場合、大きな矩形のタッチスクリーン１が設けられている。このタッチスクリーン１の大部分は、枚葉紙載置台８により覆われているので、小さな部分だけが枚葉紙載置台８の手前の前方領域に見えている。しかし、タッチスクリーン１のこの小さな領域は、図１に示した長く成形されたタッチスクリーンの表示および操作エレメントに十分に相当している。制御コンピュータ９は、該制御コンピュータ９が操作および表示エレメントを単にタッチスクリーン１の覆われていない狭い帯状部分において、枚葉紙載置台８の手前で表示するようにプログラミングされている。
【００３３】
図３は、印刷機１１の種々の構成部分を制御する、相並んで配置された複数の操作面１０を示している。この場合、これらの操作面１０は、図１または図２に示されたタッチスクリーン１上に相並んで表示され得る。これによって、一人以上のオペレータが印刷機１１の種々の機能を同時に調節できることが可能となる。
【００３４】
図４には、図１の実施の形態の別の態様が示されている。この態様では、タッチスクリーン１は、同一に構成された４つのタッチスクリーンから成っている。これらのタッチスクリーンは、この場合、１０インチのディスプレイとして構成されていて、隙間なしに並べられて、図１のような長いタッチスクリーン１を形成する。各タッチスクリーン上には、この場合８つのインキゾーンが表示され調節され得るので、４つのタッチスクリーンで合計３２個のインキゾーンを調節することができ、このことは判型１０２の印刷機を制御するために十分である。
【符号の説明】
【００３５】
１  タッチスクリーン
２  旋回可能なタッチスクリーン
３  旋回アーム
４  保持部
５  被印刷物
６  大きなスクリーン
７  覆い屋根
８  枚葉紙載置台
９  制御コンピュータ
１０  操作面
１１  印刷機
１２  色測定器
１３  カメラ
１４  インキゾーン
【図１】
0003191621.tif 000003
【図２】
0003191621.tif 000004
【図３】
0003191621.tif 000005
【図４】
0003191621.tif 000006